(57)【要約】【課題】コンテンツに対する評価に基づいてコンテンツを編集する。【解決手段】タグ読み出し部５２は、感情を表す複数のタグのうち、ユーザが登録を指示したタグに含まれる、タグを特定する特定情報を取得する。タグ登録データ生成部５５は、ユーザにより登録が指示されたタグが表す感情に対応する情報を取得し、特定情報に対応付けて、感情に対応する情報を付加した登録情報を生成する。表示制御部５７は、生成された登録情報に基づいて、登録情報に含まれる特定情報に対応するタグの一覧画像を表示すると共に、タグの一覧画像のうち、選択されたタグに対応する特定情報に対応付けて付加されている、感情に対応する情報を表示する。本発明は、例えば、携帯端末に適用することができる。【選択図】図２
2009176032.tif 000002
【特許請求の範囲】
【請求項１】
感情を表す複数のタグのうち、ユーザが登録を指示したタグに含まれる前記タグを特定する特定情報を取得する特定情報取得手段と、
前記ユーザにより登録が指示されたタグが表す感情に対応する情報を取得し、前記特定情報に対応付けて、前記感情に対応する情報を付加した登録情報を生成する登録情報生成手段と、
前記生成手段に生成された登録情報に基づいて、前記登録情報に含まれる特定情報に対応するタグの一覧画像を表示すると共に、前記タグの一覧画像のうち、選択されたタグに対応する特定情報に対応付けて付加されている、前記感情に対応する情報を表示する表示手段と
を含む情報処理装置。
【請求項２】
前記感情に対応する情報は、対応する情報が格納されているURIである
請求項１に記載の情報処理装置。
【請求項３】
画像を撮像する撮像手段をさらに含み、
前記登録情報生成手段は、前記撮像手段により撮像された画像を、前記ユーザにより登録が指示されたタグが表す感情に対応する情報として取得し、前記特定情報に対応付けて、前記感情に対応する情報を付加した登録情報を生成する
請求項１に記載の情報処理装置。
【請求項４】
位置情報を取得する位置情報取得手段をさらに含み、
前記登録情報生成手段は、前記位置情報取得手段により取得された位置情報を、前記ユーザにより登録が指示されたタグが表す感情に対応する情報として取得し、前記特定情報に対応付けて、前記感情に対応する情報を付加した登録情報を生成する
請求項１に記載の情報処理装置。
【請求項５】
テキスト情報を入力する入力手段をさらに含み、
前記登録情報生成手段は、前記入力手段により入力されたテキスト情報を、前記ユーザにより登録が指示されたタグが表す感情に対応する情報として取得し、前記特定情報に対応付けて、前記感情に対応する情報を付加した登録情報を生成する
請求項１に記載の情報処理装置。
【請求項６】
他の装置に情報を送信する送信手段と、
前記他の装置より前記情報を受信する受信手段と、
前記タグの一覧画像よりタグを選択する選択手段とをさらに含み、
前記送信手段は、
前記登録情報を他の装置に送信し、
前記受信手段は、
前記登録情報に基づいて、前記登録情報に含まれる特定情報に対応するタグの一覧画像を、前記他の装置より受信し、
前記送信手段は、
前記選択手段により選択されたタグに対応する特定情報に対応付けて付加されている、前記感情に対応する情報を、前記他の装置に要求し、
前記受信手段は、
前記要求に基づいて、前記他の装置より送信されてくる、前記感情に対応する情報を受信し、
前記表示手段は、
前記受信手段により受信された前記感情に対応する情報を表示する
請求項１に記載の情報処理装置。
【請求項７】
感情を表す複数のタグのうち、ユーザが登録を指示したタグに含まれる前記タグを特定する特定情報を取得する特定情報取得ステップと、
前記ユーザにより登録が指示されたタグが表す感情に対応する情報を取得し、前記特定情報に対応付けて、前記感情に対応する情報を付加した登録情報を生成する登録情報生成ステップと、
前記生成ステップの処理で生成された登録情報に基づいて、前記登録情報に含まれる特定情報に対応するタグの一覧画像を表示すると共に、前記タグの一覧画像のうち、選択されたタグに対応する特定情報に対応付けて付加されている、前記感情に対応する情報を表示する表示ステップと
を含む情報処理方法。
【請求項８】
感情を表す複数のタグのうち、ユーザが登録を指示したタグに含まれる前記タグを特定する特定情報を取得する特定情報取得ステップと、
前記ユーザにより登録が指示されたタグが表す感情に対応する情報を取得し、前記特定情報に対応付けて、前記感情に対応する情報を付加した登録情報を生成する登録情報生成ステップと、
前記生成ステップの処理で生成された登録情報に基づいて、前記登録情報に含まれる特定情報に対応するタグの一覧画像を表示すると共に、前記タグの一覧画像のうち、選択されたタグに対応する特定情報に対応付けて付加されている、前記感情に対応する情報を表示する表示ステップと
を含む処理をコンピュータに実行させるプログラム。
【発明の詳細な説明】
【技術分野】
【０００１】
本発明は、情報処理装置および方法、並びにプログラムに関し、特に、ユーザの経験や体験により生じる感情に関連した情報を容易に記録し、迅速に把握できるようにした情報処理装置および方法、並びにプログラムに関する。
【背景技術】
【０００２】
近年、いわゆるブログ（Web Log）といわれる身近な経験や体験の情報を日記風に記録することにより、生活記録を蓄積したり、または、公開するといった技術が普及しつつある。
【０００３】
ブログなどで生活の記録を残し、公開するような場合、文章入力、位置情報トレース、または、写真（画像情報）を蓄積ことにより、それらを公開するものが一般的である。
【０００４】
これらの位置情報や画像情報をメタデータとして管理する技術が提案されている（例えば、特許文献１，２参照）。
【０００５】
【特許文献１】特開２００７−２１３３８５号公報
【特許文献２】特開２００７−２６４７６３号公報
【発明の開示】
【発明が解決しようとする課題】
【０００６】
しかしながら、生活記録を行う場合、文章入力、位置情報トレース、写真（画像情報）などを活用すると、例えば、文章入力については、その入力に時間が必要となるので、記録される情報のリアルタイム性も損なわれる。また、位置情報については、全ての位置情報を記録しても冗長なデータになってしまい、不要に情報だけが増えてしまう恐れがある。さらに、撮像した写真の画像により管理しようとすると、外的要因のケースが多くその際のユーザの気持ちは記録されないので十分な記録にすることができない恐れがあった。
【０００７】
また、コミュニケーション手段としては、メールやブログ、SNS（Social Networking Service）、写真共有などがあるが、記録する内容を作るのに手間が掛かることや、文章ゆえに内容が詳細に及ぶことになりプライベートな情報の管理（誰に見せても良いか）の問題や、最新の情報そのものにアクセスする形式が一般的であるため、一覧性、俯瞰性が必ずしもよいものではなかった。
【０００８】
本発明は、このような状況に鑑みてなされたものであり、ユーザの経験や体験により生じる感情に関連した情報を容易に記録し、記録された情報を迅速に把握できるようにすることで、感情に関連した情報を容易で、かつ、リアルタイムに共有したり、公開できるようにするものである。
【課題を解決するための手段】
【０００９】
本発明の一側面の情報処理装置は、感情を表す複数のタグのうち、ユーザが登録を指示したタグに含まれる前記タグを特定する特定情報を取得する特定情報取得手段と、前記ユーザにより登録が指示されたタグが表す感情に対応する情報を取得し、前記特定情報に対応付けて、前記感情に対応する情報を付加した登録情報を生成する登録情報生成手段と、前記生成手段に生成された登録情報に基づいて、前記登録情報に含まれる特定情報に対応するタグの一覧画像を表示すると共に、前記タグの一覧画像のうち、選択されたタグに対応する特定情報に対応付けて付加されている、前記感情に対応する情報を表示する表示手段とを含む。
【００１０】
前記感情に対応する情報は、対応する情報が格納されているURIとすることができる。
【００１１】
画像を撮像する撮像手段をさらに含ませるようにすることができ、前記登録情報生成手段には、前記撮像手段により撮像された画像を、前記ユーザにより登録が指示されたタグが表す感情に対応する情報として取得させ、前記特定情報に対応付けて、前記感情に対応する情報を付加した登録情報を生成させるようにすることができる。
【００１２】
位置情報を取得する位置情報取得手段をさらに含ませるようにすることができ、前記登録情報生成手段には、前記位置情報取得手段により取得された位置情報を、前記ユーザにより登録が指示されたタグが表す感情に対応する情報として取得し、前記特定情報に対応付けて、前記感情に対応する情報を付加した登録情報を生成させるようにすることができる。
【００１３】
テキスト情報を入力する入力手段をさらに含ませるようにすることができ、前記登録情報生成手段には、前記入力手段により入力されたテキスト情報を、前記ユーザにより登録が指示されたタグが表す感情に対応する情報として取得し、前記特定情報に対応付けて、前記感情に対応する情報を付加した登録情報を生成させるようにすることができる。
【００１４】
他の装置に情報を送信する送信手段と、前記他の装置より前記情報を受信する受信手段と、前記タグの一覧画像よりタグを選択する選択手段とをさらに含ませるようにすることができ、前記送信手段には、前記登録情報を他の装置に送信させ、前記受信手段には、前記登録情報に基づいて、前記登録情報に含まれる特定情報に対応するタグの一覧画像を、前記他の装置より受信させ、前記送信手段には、前記選択手段により選択されたタグに対応する特定情報に対応付けて付加されている、前記感情に対応する情報を、前記他の装置に要求させ、前記受信手段には、前記要求に基づいて、前記他の装置より送信されてくる、前記感情に対応する情報を受信させ、前記表示手段には、前記受信手段により受信された前記感情に対応する情報を表示させるようにすることができる。
【００１５】
本発明の一側面の情報処理方法は、感情を表す複数のタグのうち、ユーザが登録を指示したタグに含まれる前記タグを特定する特定情報を取得する特定情報取得ステップと、前記ユーザにより登録が指示されたタグが表す感情に対応する情報を取得し、前記特定情報に対応付けて、前記感情に対応する情報を付加した登録情報を生成する登録情報生成ステップと、前記生成ステップの処理で生成された登録情報に基づいて、前記登録情報に含まれる特定情報に対応するタグの一覧画像を表示すると共に、前記タグの一覧画像のうち、選択されたタグに対応する特定情報に対応付けて付加されている、前記感情に対応する情報を表示する表示ステップとを含む。
【００１６】
本発明の一側面のプログラムは、感情を表す複数のタグのうち、ユーザが登録を指示したタグに含まれる前記タグを特定する特定情報を取得する特定情報取得ステップと、前記ユーザにより登録が指示されたタグが表す感情に対応する情報を取得し、前記特定情報に対応付けて、前記感情に対応する情報を付加した登録情報を生成する登録情報生成ステップと、前記生成ステップの処理で生成された登録情報に基づいて、前記登録情報に含まれる特定情報に対応するタグの一覧画像を表示すると共に、前記タグの一覧画像のうち、選択されたタグに対応する特定情報に対応付けて付加されている、前記感情に対応する情報を表示する表示ステップとを含む処理をコンピュータに実行させる。
【００１７】
本発明の一側面の情報処理装置および方法、並びにプログラムにおいては、感情を表す複数のタグのうち、ユーザが登録を指示したタグに含まれる前記タグを特定する特定情報が取得され、前記ユーザにより登録が指示されたタグが表す感情に対応する情報が取得され、前記特定情報に対応付けられて、前記感情に対応する情報が付加された登録情報が生成され、生成された登録情報に基づいて、前記登録情報に含まれる特定情報に対応するタグの一覧画像が表示されると共に、前記タグの一覧画像のうち、選択されたタグに対応する特定情報に対応付けて付加されている、前記感情に対応する情報が表示される。
【発明の効果】
【００１８】
本発明の一側面によれば、ユーザの経験や体験により生じる感情に関連した情報を容易に記録し、迅速に把握できるようにするものである。
【発明を実施するための最良の形態】
【００１９】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２０】
すなわち、本発明の一側面の情報処理装置は、感情を表す複数のタグのうち、ユーザが登録を指示したタグに含まれる前記タグを特定する特定情報を取得する特定情報取得手段（例えば、図２のタグ読み出し部５２）と、前記ユーザにより登録が指示されたタグが表す感情に対応する情報を取得し、前記特定情報に対応付けて、前記感情に対応する情報を付加した登録情報を生成する登録情報生成手段（例えば、図２のタグ登録データ生成部５５）と、前記生成手段に生成された登録情報に基づいて、前記登録情報に含まれる特定情報に対応するタグの一覧画像を表示すると共に、前記タグの一覧画像のうち、選択されたタグに対応する特定情報に対応付けて付加されている、前記感情に対応する情報を表示する表示手段（例えば、図２の表示制御部５１）とを含む。
【００２１】
画像を撮像する撮像手段（例えば、図２の撮像部３７）をさらに含ませるようにすることができ、前記登録情報生成手段（例えば、図２のタグ登録データ生成部５５）には、前記撮像手段により撮像された画像を、前記ユーザにより登録が指示されたタグが表す感情に対応する情報として取得させ、前記特定情報に対応付けて、前記感情に対応する情報を付加した登録情報を生成させるようにすることができる。
【００２２】
位置情報を取得する位置情報取得手段（例えば、図２の位置情報取得部３６）をさらに含ませるようにすることができ、前記登録情報生成手段（例えば、図２のタグ登録データ生成部５５）には、前記位置情報取得手段により取得された位置情報を、前記ユーザにより登録が指示されたタグが表す感情に対応する情報として取得し、前記特定情報に対応付けて、前記感情に対応する情報を付加した登録情報を生成させるようにすることができる。
【００２３】
テキスト情報を入力する入力手段（例えば、図２の操作入力部３１）をさらに含ませるようにすることができ、前記登録情報生成手段（例えば、図２のタグ登録データ生成部５５）には、前記入力手段により入力されたテキスト情報を、前記ユーザにより登録が指示されたタグが表す感情に対応する情報として取得し、前記特定情報に対応付けて、前記感情に対応する情報を付加した登録情報を生成させるようにすることができる。
【００２４】
他の装置に情報を送信する送信手段（例えば、図２の送信制御部７１）と、前記他の装置より前記情報を受信する受信手段（例えば、図２の受信制御部７２）と、前記タグの一覧画像よりタグを選択する選択手段とをさらに含ませるようにすることができ、前記送信手段には、前記登録情報を他の装置に送信させ、前記受信手段には、前記登録情報に基づいて、前記登録情報に含まれる特定情報に対応するタグの一覧画像を、前記他の装置より受信させ、前記送信手段には、前記選択手段により選択されたタグに対応する特定情報に対応付けて付加されている、前記感情に対応する情報を、前記他の装置に要求させ、前記受信手段には、前記要求に基づいて、前記他の装置より送信されてくる、前記感情に対応する情報を受信させ、前記表示手段には、前記受信手段により受信された前記感情に対応する情報を表示させるようにすることができる。
【００２５】
本発明の一側面の情報処理方法は、感情を表す複数のタグに含まれる前記タグを特定する特定情報を取得する特定情報取得ステップ（例えば、図４のステップＳ５）と、前記ユーザにより登録が指示されたタグが表す感情に対応する情報を取得し、前記特定情報に対応付けて、前記感情に対応する情報を付加した登録情報を生成する登録情報生成ステップ（例えば、図４のステップＳ２２）と、前記生成ステップの処理で生成された登録情報に基づいて、前記登録情報に含まれる特定情報に対応するタグの一覧画像を表示する一覧画像表示ステップと、前記一覧画像表示ステップの処理で表示されている前記タグの一覧画像のうち、選択されたタグに対応する特定情報に対応付けて付加されている、前記感情に対応する情報を表示する表示ステップ（例えば、図１１のステップＳ６６，Ｓ７０，Ｓ７８，Ｓ８２）とを含む。
【００２６】
以下、本発明の実施の形態について図を参照して説明する。
【００２７】
図１は、本発明が適用されるタグ登録システムの構成例を示す図である。
【００２８】
図１に示されるように、このタグ登録システムは、３つの携帯端末１１−１乃至携帯端末１１−３とタグ管理サーバ１２とが、インターネット１３（携帯電話機などによる基地局を介したインターネット１３へのアクセスも含む）を介して接続されることによって構成される。
【００２９】
携帯端末１１−１は、例えば、携帯電話機であり、携帯端末１１−２，１１−３は、例えば、PDA（Personal Digital(Data) Assistants）などに代表される携帯端末である。なお、インターネット１３に接続される携帯端末は、３つに限らず、１つまたは２つでもよく、また、４つ以上でもよい。
【００３０】
携帯端末１１−１乃至携帯端末１１−３は、それぞれのプラットフォームにおいて動作するアプリケーション（例えば、アプリキャスト（登録商標）、Webブラウザ、ｉアプリ（登録商標）など）によって、携帯端末１１−１乃至携帯端末１１−３のそれぞれを操作するユーザが、様々な感情を表すデータであるタグを登録し、登録されたタグに関する情報を、タグ管理サーバ１２に送信する。
【００３１】
ここで、感情を表すデータであるタグの登録とは、後述する図５のタグ登録データが生成されることと等価である。
【００３２】
なお、携帯端末１１−１乃至携帯端末１１−３のユーザは、日常生活における活動の中で、ちょっとした感情を抱いた時などに、その携帯端末１１−１乃至携帯端末１１−３を操作することにより、自らが抱いた感情を表現するタグの登録を指示する。このような操作により、例えば、旅行などに出かけて、景勝地を見て回る中で、沸き起こる様々な感情に対応するタグを時系列で登録することができ、登録されたタグを時系列に見返すことで景勝地を訪れたときの行動と共に、その行動における感情を思い出すことが可能となり、旅行の記録をより詳細な臨場感のあるものとすることが可能となる。
【００３３】
以下、携帯端末１１−１乃至携帯端末１１−３を、個々に区別する必要がない場合、単に、携帯端末１１と称する。
【００３４】
タグ管理サーバ１２は、携帯端末１１から送信されてくるタグに関する情報を記憶（管理）する。タグ管理サーバ１２に記憶されたタグに関する情報は、携帯端末１１−１乃至携帯端末１１−３によって共有される。
【００３５】
次に、図２を参照して、携帯端末１１の構成例について説明する。
【００３６】
携帯端末１１は、操作入力部３１、記憶部３２、制御部３３、通信部３４、表示部３５位置情報取得部３６、および撮像部３７を有する。
【００３７】
操作入力部３１は、携帯端末１１に対する指示等を入力するときにユーザによって操作され、その操作内容を示す操作信号を制御部３３に供給する。
【００３８】
例えば、操作入力部３１は、携帯端末１１がPDAである場合、キーボードやマウスから構成される。また、例えば、操作入力部３１は、携帯端末１１が携帯電話機である場合、発呼のためのダイヤル番号などを入力するキーから構成される。また、操作入力部３１は、後述する表示部３５に重ねて設けられるタッチパネルであってもよい。
【００３９】
記憶部３２は、例えば、フラッシュメモリなどのランダムアクセスが可能な記憶媒体からなり、各種のデータやコンピュータプログラムなどを記憶する。
【００４０】
記憶部３２は、様々な種類の感情を表すデータであるタグを記憶している。ここで、タグは、記憶部３２に予め記憶させておくか、タグ管理サーバ１２等のサーバから携帯端末１１にダウンロードして、記憶部３２に記憶させることができる。
【００４１】
また、記憶部３２は、ユーザによって登録が指示されたタグを特定する特定情報としてのタグID（Identification）、そのタグの登録が指示された時刻を表す時刻情報、および、ユーザを識別するユーザIDを用い、その特定情報に対応付けて、例えば、コメント、画像、または位置情報などが付加されたデータであるタグ登録データを記憶する。
【００４２】
制御部３３は、例えば、マイクロプロセッサなどからなり、携帯端末１１全体を制御する。制御部３３の詳細については後述する。
【００４３】
通信部３４は、インターネット１３などのネットワークを介して、各種のデータを送受信する。例えば、通信部３４は、携帯端末１１がPDAである場合、有線通信を行うネットワークインターフェースとされ、インターネット１３を介して、各種のデータを送受信する。また、例えば、通信部３４は、携帯端末１１が携帯電話機である場合、無線通信を行うアンテナを含むように構成され、図示せぬ基地局との無線による通信によって、インターネット１３を介して、各種のデータを送受信する。
【００４４】
表示部３５は、例えば、LCD（Liquid Crystal Display）または有機EL（Electro Luminescence）などの表示デバイスからなり、制御部３３から供給される画像データに基づいて、各種の画像を表示する。
【００４５】
位置情報抽出部３６は、制御部３３の位置情報取得制御部５９により制御され、いわゆるGPS（Global Positioning System）などにより、図示せぬ衛星からの信号に基づいて、地球上の位置（緯度および経度）の情報を取得し、位置情報取得制御部５９に供給する。
【００４６】
撮像部３７は、光学機構、および撮像素子から構成され、撮像制御部６０により制御されて、画像を撮像し、撮像結果である画像データを撮像制御部６０に供給する。
【００４７】
制御部３３は、図示せぬCPU（Central Processing Unit）がコンピュータプログラムを実行することにより、表示制御部５１、タグ読み出し部５２、時刻情報取得部５３、時計部５４、タグ登録データ生成部５５、通信制御部５６、ブラウザ管理部５７、位置情報取得制御部５９、および撮像制御部６０として機能する。
【００４８】
表示制御部５１は、タグ読み出し部５２、通信制御部５６、ブラウザ管理部５７、およびコメント管理部５８より供給されてくる情報に基づいて、表示部３５に表示させる画像を生成すると共に、生成した画像を表示部３５に表示させる。
【００４９】
タグ読み出し部５２は、操作入力部３１からの操作信号に応じて、ユーザにより登録が指示された（感情を表す）タグを読み出す。
【００５０】
より具体的には、タグ読み出し部５２は、操作入力部３１から供給される、タグの登録を指示するユーザの操作に対応する操作信号に基づいて、記憶部３２に記憶されている複数種類の感情を表すタグの中から、登録が指示された（感情を表す）タグを読み出す。
【００５１】
タグ読み出し部５２は、記憶部３２から読み出したタグのタグIDを、タグ登録データ生成部５５に供給し、アイコンイメージデータと色データとを、タグIDに関連付けて表示制御部５１に供給する。
【００５２】
また、タグ読み出し部５２は、操作入力部３１から供給される、タグの登録を指示するユーザの操作に対応する操作信号に応じて、時刻情報取得部５３に、タグの登録が指示された時刻を取得させるための指示を供給する。
【００５３】
時刻情報取得部５３は、タグ読み出し部５２からの指示に基づいて、時計部５４から、タグの登録が指示された時刻（現在時刻）を示す時刻情報を取得する。時刻情報取得部５３は、時計部５４から取得した時刻情報をタグ登録データ生成部５５に供給する。
【００５４】
時計部５４は、現在時刻の日時（年、月、日、時、分、秒）を出力し、時刻情報として時刻情報取得部５３に供給する。
【００５５】
タグ登録データ生成部５５は、タグ登録データを生成し、記憶部３２に供給する。より詳細には、タグ登録データ生成部５５は、タグ読み出し部５２からタグIDが供給されると、そのタグIDと、時刻情報取得部５３から供給された時刻情報、並びに予め設定されたユーザIDとを基に、タグ登録データを生成し、記憶部３２に供給する。
【００５６】
ブラウザ管理部５７は、操作信号に応じて通信制御部５６を制御し、通信部３４を介して、タグ管理サーバ１２に対して各種のデータを要求すると共に、供給されてくるデータをブラウザの画面として表示できる形式に変換して、表示制御部５１に供給し、表示部３５に表示させる。
【００５７】
コメント管理部５８は、操作入力部３１の操作信号に応じて、ユーザがコメントとして入力したテキストデータを受け付けると共に受け付けたコメントのテキストデータをタグ登録データ生成部５５に供給する。
【００５８】
位置情報取得制御部５９は、操作入力部３１からの操作信号に応じて、位置情報取得部３６の動作を制御して、位置情報を取得し、取得した位置情報をタグ登録データ生成部５５に供給する。
【００５９】
撮像制御部６０は、操作入力部３１からの操作信号に応じて、撮像部３７を制御して、画像を撮像させると共に、撮像された画像のデータをタグ登録データ生成部５５に供給する。
【００６０】
次に、図３を参照して、タグ管理サーバ１２の構成例について説明する。
【００６１】
タグ管理サーバ１２は、通信部１１１、タグ登録管理部１１２、配信情報生成部１１３、画像データ格納部１１４、タグ登録管理データ格納部１１５、および地図データ格納部１１６を有する。
【００６２】
通信部１１１は、受信制御部１１１ａおよび送信制御部１１１ｂより構成されており、ネットワークインターフェースなどから構成され、インターネット１３を介して、携帯端末１１−１乃至１１−３との間で、各種のデータを授受する。
【００６３】
タグ登録管理部１１２は、通信部１１１を介して携帯端末１１−１乃至携帯端末１１−３より供給されてくるタグ登録データよりタグ登録管理データを更新してタグ登録管理データ格納部１１５に格納すると共に、タグ登録データに付随する画像データを画像データ格納部１１４に格納する。
【００６４】
配信情報生成部１１３は、通信部１１１を介して携帯端末１１−１乃至１１−３に対して、タグ登録管理データ格納部１１５で管理されているタグ登録管理データより配信データ生成して配信し、タグ登録データを携帯端末１１−１乃至１１−３において共有させる。また、配信情報生成部１１３は、通信部１１１を介して携帯端末１１−１乃至１１−３のいずれかからタグ登録データに含まれている画像データの格納位置を示すURIが指定されて、画像データが要求された場合、通信部１１１を制御して、画像データを携帯端末１１−１乃至１１−３に配信する。さらに、配信情報生成部１１３は、通信部１１１を介して携帯端末１１−１乃至１１−３のいずれかからタグ登録データに含まれている位置情報が指定されて、付近の地図データが要求された場合、通信部１１１を制御して、地図データ格納部１１６に格納されている地図データを読み出して、携帯端末１１−１乃至１１−３に配信する。
【００６５】
次に、図４のフローチャートを参照して、携帯端末１１によるタグ登録データ生成処理について説明する。
【００６６】
ステップＳ１において、制御部３３のタグ読み出し部５２は、操作入力部３１が操作されて、タグ登録モードに設定されたか否かを判定し、タグ登録モードに設定されるまで、その処理を繰り返す。ステップＳ１において、例えば、操作入力部３１が操作されて、タグ登録モードに操作された場合、ステップＳ２において、タグ読み出し部５２は、記憶部３２に記憶されているタグの情報を読み出し、表示制御部５１に供給し、タグの一覧画像を生成させて表示部３５に表示させる。
【００６７】
より詳細には、記憶部３２により読み出されるタグの情報は、例えば、図５で示されるようなものである。タグの情報は、タグID、名称、アイコンイメージデータ、および色データから構成される。
【００６８】
タグIDは、タグを特定するための情報である。具体的には、例えば、タグIDは、001乃至999の３桁の数値とされる。なお、タグIDは、数値に限らず、文字列などであってもよい。
【００６９】
名称は、タグによって表される感情（の種類）を表すテキストデータとされる。より具体的には、例えば、名称は、「笑い」、「美味い」、「怒り」、「驚き」、「快適」、「魅了」、「最悪」、「泣き」、または「クール」といった感情を表す。また、タグには、その他、各種の感情を表すタグがある。
【００７０】
アイコンイメージデータは、タグが表す感情を表現するアイコンを表示するための画像データである。例えば、「笑い」という感情を表すタグのアイコンイメージデータによれば、人の笑顔を模したアイコンが表示される。また、例えば、「美味い」という感情を表すタグのアイコンイメージデータによれば、人がおいしいものを食べておいしいと感じたときの顔の表情を模したアイコンが表示される。
【００７１】
色データは、アイコンイメージデータによって表示されるアイコンの色を指定するための情報である。色データとしては、タグが表す感情を想起するような色を表すデータが採用される。例えば、「笑い」という感情を想起する色としては、黄色を採用することができ、「快適」という感情を想起する色としては、青色を採用することができる。
【００７２】
これらのタグの情報に基づいて、例えば、図６で示されるような、複数の種類のタグが表現される。
【００７３】
図６に示されるように、タグIDが001であるタグは、名称として「笑い」という感情を表すアイコンイメージデータとして、人の笑顔を模した画像データを、色データとして、黄色をそれぞれ有し、「笑い」という感情を表す。
【００７４】
タグIDが002であるタグは、名称として「美味い」という感情を表すアイコンイメージデータとして、人がおいしいものを食べておいしいと感じたときの顔を模した画像データを、色データとして、オレンジ色をそれぞれ有し、「美味い」という感情を表す。
【００７５】
タグIDが003であるタグは、名称として「怒り」という感情を表すアイコンイメージデータとして、人が怒りを感じたときの顔を模した画像データを、色データとして、赤色をそれぞれ有し、「怒り」という感情を表す。
【００７６】
タグIDが004であるタグは、名称として「驚き」という感情を表すアイコンイメージデータとして、人が驚いたときの顔を模した画像データを、色データとして、緑色をそれぞれ有し、「驚き」という感情を表す。
【００７７】
タグIDが005であるタグは、名称として「快適」という感情を表すアイコンイメージデータとして、人が快適であると感じたときの顔を模した画像データを、色データとして、青色をそれぞれ有し、「快適」という感情を表す。
【００７８】
タグIDが006であるタグは、名称として「魅了」という感情を表すアイコンイメージデータとして、人が何かに魅了されたときの顔を模した画像データを、色データとして、ピンク色をそれぞれ有し、「魅了」という感情を表す。
【００７９】
タグIDが007であるタグは、名称として「最悪」という感情を表すアイコンイメージデータとして、人が最悪の状況と感じたときの顔を模した画像データを、色データとして、黒色をそれぞれ有し、「最悪」という感情を表す。
【００８０】
タグIDが008であるタグは、名称として「泣き」という感情を表すアイコンイメージデータとして、人が泣きたくなったときの顔を模した画像データを、色データとして、青紫色をそれぞれ有し、「泣き」という感情を表す。
【００８１】
タグIDが009であるタグは、名称として「クール」という感情を表すアイコンイメージデータとして、サングラスをかけた人の顔を模した画像データを、色データとして、赤紫色をそれぞれ有し、「かっこいい」という感情を表す。
【００８２】
尚、タグの種類は、上述した９種類に限定されず、また、ユーザによって後から追加されるようにしてもよい。
【００８３】
このようなタグの情報に基づいて、例えば、表示部３５には、図７で示されるようなタグ一覧画像が表示される。
【００８４】
図７のタグ一覧画像においては、タグＴ１乃至Ｔ９が表示部３５に表示されており、タグＴ１乃至Ｔ９が、それぞれタグID＝001乃至009に対応するタグを示している。このタグＴ１乃至Ｔ９は、操作入力部３１により選択することができ、選択されると登録が指示されたことを示す信号が操作入力部３１により発生され、タグ読み出し部５２に供給される。
【００８５】
図４のフローチャートの説明に戻る。
【００８６】
ステップＳ３において、タグ読み出し部５２は、表示部３５に表示されたタグのうち、いずれかが操作入力部３１が操作されることにより選択されたか否かを判定する。
【００８７】
ステップＳ３において、操作入力部３１が操作されない場合、ステップＳ４において、タグ読み出し部５２は、操作入力部３１が操作されることにより、タグ登録モードの終了が指示されたか否かを判定し、タグ登録モードの終了が指示されていないと判定された場合、処理は、ステップＳ３に戻る。すなわち、タグ一覧画像が表示されたままの状態で、いずれのタグも選択されず、タグ登録モードの終了が指示されない場合、ステップＳ３，Ｓ４の処理が継続される。そして、例えば、ステップＳ４において、タグ登録モードの終了が指示された場合、処理は、ステップＳ１に戻る。
【００８８】
一方、ステップＳ３において、例えば、ユーザが、何らかの景色などを眺めて、その景色に対して魅了されたことを伝えたいと感じた場合、図７で示されるようなタグ一覧画像のうち、タグＴ６が選択されて、登録が指示されると、ステップＳ５において、操作入力部３１は、操作内容に応じて、選択されたタグを示すタグID＝００６に対応する操作信号を発生し、タグ読み出し部５２に供給する。タグ読み出し部５２は、操作信号に応じて、記憶部３２にアクセスし、記憶されているタグの情報を読み出して、タグ登録データ生成部５５に供給する。タグ登録データ生成部５５は、タグ読み出し部５２より供給されてきた情報に基づいて、選択されたタグに対応するタグ登録データを生成する。さらに、時刻情報取得部５３に対して、現在の時刻情報を要求する。時刻情報取得部５３は、時計部５４の現在時刻を読み出し、タグ登録データ生成部５５に供給する。タグ登録データ生成部５５は、図示せぬメモリに予め記憶されているユーザID、時刻情報、およびタグIDに基づいて、タグ登録データを生成し記憶部３２に記憶させる。
【００８９】
すなわち、今の場合、図７のタグＴ６が選択されているので、図６を参照して説明したように、タグID＝００６のタグが選択されたことを示す操作信号に基づいて、タグ登録データ生成部５５は、図８で示されるようなタグ登録データを生成する。図８においては、左からタグID、ユーザID、時刻情報、コメント情報、位置情報、およびコンテンツ情報から構成されている。
【００９０】
ユーザIDは、例えば、携帯端末１１のユーザの名前等のユーザを特定する情報である。ユーザIDは、携帯端末１１のユーザが操作入力部３１を操作することにより設定され、図示せぬメモリに予め記憶されている。
【００９１】
時刻情報は、タグの登録の対象のコンテンツに対するタグの登録が指示された時刻を示す。時刻情報は、例えば、秒単位での日時（年、月、日、時、分、秒）を示す。
【００９２】
コメント情報は、タグ登録データが生成される際に併せて登録されるコメントとなるテキスト情報である。尚、コメント情報については、詳細を後述する。
【００９３】
位置情報は、タグ登録データが生成される際の地球上の緯度および経度からなる情報である。
【００９４】
コンテンツ情報は、タグ登録データが生成される際に併せて生成されたコンテンツのデータそのもの、または、コンテンツのデータが格納されたURI（Uniform Resource Identifier）である。
【００９５】
尚、タグID、ユーザID、および時刻情報は、登録が指示されたタグを特定する特定情報として扱われ、ステップＳ５において、具体的な情報と共に記憶されているが、コメント情報、位置情報、およびコンテンツ情報は、登録が指示されたタグの付加データであり、ステップＳ５においては、格納する領域のみが確保された状態となる。
【００９６】
ステップＳ６において、タグ読み出し部５２は、選択されたタグに付加する付加データを選択する情報を表示部３５に表示するように、表示制御部５１に指示する。この指示において、表示制御部５１は、選択されたタグに付加する付加データの選択を要求する画面を表示する。
【００９７】
ステップＳ７において、撮像制御部６０は、操作入力部３１が操作されることにより、選択したタグ登録データに付加する付加データとして画像データを撮像するか否かを判定する。
【００９８】
ステップＳ７において、例えば、操作入力部３１が操作されて、付加データとして画像データを撮像することが指示された場合、ステップＳ８において、撮像制御部６０は、撮像部３７を起動させる。そして、ステップＳ９において、操作入力部３１が操作され、撮像が指示されたか否かを判定し、撮像が指示されるまで、同様の処理を繰り返す。そして、例えば、撮像部３７が、ユーザが魅了された景色に向けられた状態で、操作入力部３１が操作されて、撮像が指示された場合、ステップＳ１０において、撮像制御部６０は、撮像部３７を制御して、ユーザが魅了された景色の画像を撮像し、撮像した画像データを撮像制御部６０に供給する。撮像制御部６０は、供給されてきた画像データをタグ登録データ生成部５５に供給し記憶させる。
【００９９】
ステップＳ１１において、撮像制御部６０は、操作入力部３１が操作されて、撮像終了が指示されたか否かを判定し、撮像終了が指示されない場合、処理は、ステップＳ９に戻る。すなわち、ステップＳ１１において、撮像の終了が指示されるまで、ステップＳ９乃至Ｓ１１の処理が繰り返される。そして、ステップＳ１１において、撮像終了が指示された場合、ステップＳ１２において、撮像制御部６０は、撮像部３７の動作状態を停止させて、撮像処理を終了させる。
【０１００】
一方、ステップＳ７において、選択されたタグ登録データに付加する付加データとして画像が選択されなかった場合、ステップＳ８乃至Ｓ１２の処理がスキップされる。
【０１０１】
ステップＳ１３において、コメント管理部５８は、操作入力部３１が操作されることにより、選択したタグ登録データに付加する付加データとしてコメントを入力するか否かを判定する。
【０１０２】
ステップＳ１３において、例えば、操作入力部３１が操作されて、付加データとしてコメントを入力することが指示された場合、ステップＳ１４において、コメント管理部５８は、表示制御部５１に対してコメント入力ウィンドウを表示部３５に表示させ、コメント入力ウィンドウを起動させる。そして、ステップＳ１５において、操作入力部３１が操作され、コメントがテキストデータとして入力されたか否かを判定し、コメントとなるテキストデータが入力されるまで、同様の処理を繰り返す。そして、例えば、ユーザにより魅了された景色についてのコメントが、操作入力部３１が操作されることにより、テキストデータとして入力された場合、ステップＳ１６において、コメント管理部５８は、表示制御部５１を制御して、表示部３５にユーザが魅了された景色について入力したコメントのテキストデータを表示部３５に表示させると共に、入力されたコメントのテキストデータをタグ登録データ生成部５５に供給する。
【０１０３】
ステップＳ１７において、コメント管理部５８は、操作入力部３１が操作されて、コメント入力の終了が指示されたか否かを判定し、コメント入力の終了が指示されない場合、処理は、ステップＳ１５に戻る。すなわち、ステップＳ１７において、コメント入力の終了が指示されるまで、ステップＳ１５乃至Ｓ１７の処理が繰り返される。そして、ステップＳ１７において、コメント入力の終了が指示された場合、ステップＳ１７において、コメント管理部５８は、入力されたコメントをタグ登録データ生成部５５に供給し記憶させ、コメント入力処理を終了させる。
【０１０４】
一方、ステップＳ１３において、選択されたタグ登録データに付加する付加データとしてコメントが選択されなかった場合、ステップＳ１４乃至Ｓ１８の処理がスキップされる。
【０１０５】
ステップＳ１９において、位置情報取得制御部５９は、操作入力部３１が操作されることにより、選択したタグ登録データに付加する付加データとして位置情報を取得するか否かを判定する。
【０１０６】
ステップＳ１９において、例えば、操作入力部３１が操作されて、付加データとして位置情報を取得することが指示された場合、ステップＳ２０において、位置情報取得制御部５９は、位置情報取得部３６に対して位置情報を取得させる。そして、位置情報取得部３６が、図示せぬ衛星からの信号に基づいて、位置情報を取得した場合、位置情報取得部３６は、位置情報取得制御部４９に対して取得した位置情報を供給する。位置情報取得制御部５９は、供給されてきた位置情報をタグ登録データ生成部５５に供給する。
【０１０７】
ステップＳ２１において、タグ登録データ生成部５５は、供給されてきた位置情報を記憶する。
【０１０８】
一方、ステップＳ１９において、選択されたタグ登録データに付加する付加データとして位置情報が選択されなかった場合、ステップＳ２０，Ｓ２１の処理がスキップされる。
【０１０９】
ステップＳ２２において、タグ登録データ生成部５５は、生成したタグ登録データにステップＳ７乃至Ｓ１２の処理により撮像された画像データ、ステップＳ１３乃至Ｓ１８の処理により入力されたコメントのテキストデータ、および、ステップＳ２０，Ｓ２１の処理により取得された位置情報をそれぞれ付加データとして付加し、記憶部３２にタグ登録データとして記憶する。尚、上述したように、画像データ、コメント、および位置情報は、付加データとして付加することが指示された場合に取得されるデータであるので、付加が指示されなかった場合、タグ登録データには、付加されることがない。したがって、タグID、ユーザIDおよび日時情報にのみ特定される情報のみでも、タグ登録データは構成することができ、容易にそのときの感情をタグとして登録することができる。また、上述した処理により、タグ登録データは、タグID、ユーザID、および日時情報の他に画像、コメント、および位置情報を付加データとして付加して登録することが可能である。
【０１１０】
ステップＳ２３において、タグ登録データ生成部５５は、生成したタグ登録データを通信制御部５６に供給する。通信制御部５６は、送信制御部７２を制御して、通信部３４より供給されてきたタグ登録データをインターネット１３を介してタグ管理サーバ１２に送信する。
【０１１１】
以上の処理により、ユーザは、何らかの感情を抱いたとき、その感情に対応する感情を示すタグを登録することができ、登録したタグのタグID、ユーザID、および日時情報をタグ管理サーバ１２に供給することができ、ユーザの抱いた感情を順次タグ管理サーバ１２に蓄積させていくことが可能となる。さらに、タグ登録データは、タグID、ユーザID、および日時情報の他に、画像データ、コメント（テキストデータ）、および位置情報を併せて登録させることが可能となる。
【０１１２】
次に、図９のフローチャートを参照して、タグ管理サーバ１２による登録データ管理処理について説明する。
【０１１３】
ステップＳ４１において、タグ登録管理部１１２は、通信部１１１の受信制御部１１１ａを制御して、いずれかの携帯端末１１よりタグ登録データが送信されてきたか否かを判定し、送信されてくるまで、同様の処理を繰り返す。ステップＳ４１において、例えば、図４のフローチャートにおけるステップＳ２３の処理により、携帯端末１１よりタグ登録データが送信されてきた場合、ステップＳ４２において、タグ登録管理部１１２は、通信部１１１の受信制御部１１１ａを介して、送信されてきたタグ登録データを受信する。
【０１１４】
ステップＳ４３において、タグ登録管理部１１２は、受信したタグ登録データをタグ登録管理データ格納部１１５にタグIDに対応付けて、例えば、図１０で示されるようなタグ登録管理データとして格納する。また、タグ登録データに付加データとして画像データが付加されていた場合、タグ登録管理部１１２は、付加データとして付加されている画像データを画像データ格納部１１４に格納する。
【０１１５】
タグ登録管理データは、図１０で示されるように、タグID、ユーザID、時刻情報、コメント情報、位置情報、コンテンツ格納位置情報、アクセス数、並びに返信用タグ情報から構成されている。タグID、ユーザID、時刻情報、コメント情報、位置情報については、図８を参照して説明したタグ登録データと同一のものであるので、その説明は省略する。コンテンツ格納位置情報とは、付加データとして付加されていたデータを格納した位置を示す、例えば、URIである。付加データが、例えば、画像データであり、画像データ格納部１１４に格納された場合、コンテンツ格納位置情報には、画像データが格納されているディレクトリなどからなる格納位置情報（URI）を取得することができる。
【０１１６】
アクセス数は、後述する処理により、登録されたタグ登録管理データに他のユーザよりアクセスがあった回数がカウントされて記録される。尚、タグ登録管理データが生成された時点では、アクセス回数は０回として登録される。
【０１１７】
また、返信用タグ情報とは、このタグ登録管理データにアクセスし、このタグ登録管理データに対して返信してきたユーザにより登録されたタグ登録データである。尚、返信用タグ登録データについては、図８を参照して説明したタグ登録データと同様であるので、その説明は省略する。また、最初の処理では、返信用タグ登録データについては、領域が確保されるのみで、実際のデータは記録されない。
【０１１８】
以上の処理により、タグ管理サーバ１２は、携帯端末１１より送信されてきたタグ登録データをユーザIDに対応付けてタグ登録管理データ格納部１１５に登録することができるので、後述する処理により、携帯端末１１からダウンロードが要求された場合、ダウンロードが要求されたユーザIDに対応するタグ登録データを配布することができる。このため、タグ管理サーバ１２に格納されたタグ登録データは、複数の携帯端末１１により共有することが可能となる。
【０１１９】
次に、図１１，図１２のフローチャートを参照して、携帯端末１１がタグ管理サーバ１２にアクセスし、タグ登録データをダウンロードし、表示部３５にて所定のユーザの（所定のユーザIDの）タグ登録データを閲覧する処理について説明する。
【０１２０】
ステップＳ６１において、ブラウザ管理部５７は、操作入力部３１が操作されて、タグ登録データの閲覧が要求されたか否かを判定し、閲覧が要求されるまで、同様の処理が繰り返される。
【０１２１】
ステップＳ６１において、例えば、ユーザが操作入力部３１を操作して、タグ登録データが管理されているタグ管理サーバ１２のURLなどが入力されて閲覧が指示されるなどして、タグ登録データの閲覧が要求された場合、ステップＳ６２において、ブラウザ管理部５７は、表示制御部５１を制御して、表示部３５に、タグ登録データの付加データとして登録されている画像データの一覧の閲覧か、または、位置データの一覧の閲覧かのいずれかを選択する画像を表示部３５に表示させる。
【０１２２】
ステップＳ６３において、ブラウザ管理部５７は、画像データの一覧の閲覧が指示されたか否かを判定する。例えば、操作入力部３１が、操作されて画像データの一覧の閲覧が指示され、対応するタグ管理サーバ１２のURLなどが入力された場合、ステップＳ６４において、ブラウザ管理部５７は、対応するURLに基づいて、通信制御部５６の送信制御部７１を制御し、通信部３４からインターネット１３を介してタグ管理サーバ１２にタグ登録データのうち、付加データとして登録されている画像データの一覧の閲覧を要求する。
【０１２３】
これに応じ、ステップＳ１０１（図１２）において、配信情報生成部１１３は、通信部１１１の受信制御部１１１ａを制御して、携帯端末１１よりタグ登録データの閲覧が要求されてきたか否かを判定する。例えば、図１１のステップＳ６４の処理により、タグ登録データの付加データである画像データの一覧の閲覧が要求された場合、ステップＳ１０２において、配信情報生成部１１３は、通信部１１１の受信制御部１１１ａを制御して、タグ登録データの閲覧が要求されていること示す情報を受信し、要求されている閲覧内容の情報を取得する。
【０１２４】
ステップＳ１０３において、配信情報生成部１１３は、閲覧が要求されたデータがタグ登録データの付加データのうち画像データであるか否かを判定する。今の場合、画像データの閲覧が要求されているので、ステップＳ１０４において、配信情報生成部１１３は、タグ登録管理データ格納部１１５に格納されているタグ登録管理データのうち、閲覧が要求されているタグ登録データのユーザIDに対応付けて付加データとして登録されている画像データを画像データ格納部１１４より読み出し、画像データの一覧となる閲覧画像を生成する。画像データの一覧となる閲覧画像は、具体的には、ユーザIDに対応して検索されるタグID、日時情報、およびそのタグ登録データに付加データとして登録されている画像データのファイル名からなる。
【０１２５】
ステップＳ１０５において、配信情報生成部１１３は、通信部１１１の送信制御部１１１ｂを制御して、生成した配信情報となる画像データ一覧の閲覧画像を携帯端末１１に送信させる。
【０１２６】
ステップＳ６５（図１１）において、ブラウザ管理部５７は、通信制御部５６の受信制御部７２を制御して、タグ管理サーバ１２より送信されてきた画像データ一覧である閲覧画像をデータとして取得する。
【０１２７】
ステップＳ６６において、ブラウザ管理部５７は、取得した画像データ一覧となる閲覧画像のデータを表示制御部５１に供給し、例えば、図１３で示されるように表示部３５に表示させる。
【０１２８】
図１３においては、図中の左側にタグが登録された日時と登録されたタグのタグIDに対応するタグの画像が示されており、右側には、登録されたタグに対応する画像データのURIが埋め込まれた画像データの名称が表示されている。
【０１２９】
すなわち、図１３においては、上から2007年8月31日9時18分5秒に「魅了」を示すタグが登録され、付加データとして画像20070831091805.jpgが登録されており、2007年8月31日10時29分57秒に「魅了」を示すタグが登録され、付加データとして画像20070831102957.jpgが登録されており、2007年8月31日10時31分22秒に「美味い」を示すタグが登録され、付加データとして画像20070831103122.jpgが登録されており、2007年8月31日10時32分54秒に「泣き」を示すタグが登録され、付加データとして画像20070831103254.jpgが登録されていることが示されている。各タグの画像は、供給されてきたタグIDに基づくものである。
【０１３０】
ステップＳ６７において、ブラウザ管理部５７は、操作入力部３１が操作されて、いずれかの画像が選択されたか否かを判定する。例えば、ステップＳ６７において、最上段の画像データを示す画像20070831091805.jpgの記載されている領域がポインタなどで指示されるなどして選択された場合、ステップＳ６８において、ブラウザ管理部５７は、選択された画像20070831091805.jpgに対応付けて記憶されているタグID、ユーザID、および日時情報に基づいて、通信制御部５６の送信制御部７１を制御して、通信部３４よりタグ管理サーバ１２に対してタグ登録データおよび付加データである画像データを要求する。
【０１３１】
これに応じて、ステップＳ１０１において、タグの登録データの閲覧が要求されていないので、ステップＳ１０８において、配信情報生成部１１３は、通信部１１１の受信制御部１１１ｂを制御して、タグ登録データの要求が受信されたか否かを判定する。ステップＳ１０８において、例えば、ステップＳ６８の処理によりタグ登録データおよび付加データである画像データの要求が受信された場合、ステップＳ１０９において、配信情報生成部１１３は、要求されたタグ登録データ、および付加データである画像データをタグ登録管理データ格納部１１５および画像データ格納部１１４より読み出す。
【０１３２】
ステップＳ１１０において、タグ登録管理部１１２は、要求されたタグ登録データおよび付加データである画像データを通信部１１１の送信制御部ｂを制御して、携帯端末１１に送信する。
【０１３３】
ステップＳ６９において、ブラウザ管理部５７は、通信制御部５６の受信制御部７２を制御して、通信部３４よりタグ管理サーバ１２より送信されてきたタグ登録データおよび付加データである画像データを取得する。
【０１３４】
ステップＳ７０において、ブラウザ管理部５７は、取得したタグ登録データおよび付加データである画像データを表示制御部５１に供給し、例えば、図１４で示されるように表示部３５に表示させる。
【０１３５】
図１４においては、上から選択された画像ファイルである20070831091805.jpgのタグ登録データにおける日時情報が表示され、その下に画像ファイルである20070831091805.jpgの画像Ｐ１が表示され、さらに、左下に「魅了」に対応するタグＴ１１が表示され、さらに、右下にコメントとして登録されていた「綺麗な朝日でした」のコメント欄Ｃ１が表示されている。
【０１３６】
このようにタグと共に登録された画像データを参照することにより、タグを登録した日時において、タグを登録した人物のそのときの感情を参照することが可能となり、本人であれば、感情を記録として残すことができ、後から繰り返し確認することが可能となる。また、本人または本人以外のいずれであっても、タグの情報を供給することができるので、そのときの感情を本人を含む多くの人物と共有することが可能となる。さらに、画像データを表示することができるので、そのときの感情が、何に起因したものであるかを記録することができると共に、本人以外の人物とも共有することが可能となる。
【０１３７】
ステップＳ７１において、タグ読み出し部５２は、操作入力部３１が操作されるなどして、図５で示される画像より、返信用タグ登録データが選択されたか否かを判定する。例えば、本人以外の人物が、図１４で示されるような画像を閲覧することにより、図５で示される「驚き」を示すタグＴ４が選択されると、ステップＳ７２において、タグ登録データ生成処理が実行される。尚、このタグ登録データ生成処理については、図４において説明した処理と同様であるので、その説明は省略する。
【０１３８】
ステップＳ７３において、ブラウザ管理部５７は、記憶部３２に新たに返信用に登録されたタグ登録データを読み出し、通信制御部５６の送信制御部７１を制御して、タグ管理サーバ１２に送信する。
【０１３９】
ステップＳ１１１（図１２）において、タグ登録管理部１１２は、タグ登録管理データ格納部１１５にアクセスし、読み出されたタグ登録データのアクセス数を１インクリメントする。
【０１４０】
ステップＳ１１２において、タグ登録管理部１１２は、返信用に登録されたタグ登録データが送信されてきたか否かを判定する。例えば、ステップＳ７３の処理により、返信用のタグ登録データが送信されてきた場合、ステップＳ１１３において、タグ登録管理部１１２は、読み出されたタグ登録管理データの返信用タグ登録データ欄に、送信されてきたタグ登録データを付加して更新する。
【０１４１】
このため、返信用タグ登録データが登録された後、ステップＳ６７の処理により画像が選択されると、例えば、図１５で示されるように、右下に返信用のタグである「驚き」示すタグＴ２１が表示される。このようにタグに登録された画像データを参照して感じた感情を、さらに、タグとして登録することが可能となるので、タグ登録データに付加データとして付加されている画像データに対する感情を、多くの人物と共有することが可能となる。また、自らが感じた感情と、他人の感じかたの違いなどを認識することが可能となる。
【０１４２】
ステップＳ６７において、いずれも画像が選択されなかった場合、ステップＳ６８乃至Ｓ７３の処理がスキップされる。また、ステップＳ７１において、返信用タグ登録データが選択されなかった場合、ステップＳ７２，Ｓ７３の処理はスキップされる。そして、ステップＳ７４において、ブラウザ管理部５７は、ブラウザの終了が指示されたか否かを判定し、終了が指示されていない場合、処理は、ステップＳ６７に戻る。すなわち、画像データの一覧が表示されると、いずれかの画像が選択されなければ、ブラウザの終了が指示されるまで、ステップＳ６７乃至Ｓ７４の処理が繰り返される。そして、ステップＳ７４において、終了が指示された場合、処理は、ステップＳ６１に戻る。
【０１４３】
また、ステップＳ１１２において、ステップＳ７１の処理により返信用タグ登録データが登録されなかった場合、ステップＳ７３の処理がスキップされるので、ステップＳ１１３の処理もスキップされて、処理は、ステップＳ１０１に戻る。
【０１４４】
一方、ステップＳ６３において、画像データの一覧の閲覧が指示されなかった場合、ステップＳ７５において、ブラウザ管理部５７は、位置情報の一覧の閲覧が指示されたか否かを判定する。例えば、操作入力部３１が、操作されて位置情報の一覧の閲覧が指示され、対応するタグ管理サーバ１２のURLなどが入力された場合、ステップＳ７６において、ブラウザ管理部５７は、対応するURLに基づいて、通信制御部５６の送信制御部７１を制御し、通信部３４からインターネット１３を介してタグ管理サーバ１２にタグ登録データのうち、付加データとして登録されている位置情報の一覧の閲覧を要求する。
【０１４５】
すると、ステップＳ１０３（図１２）において、画像データの閲覧が要求されないので、位置情報の一覧が要求されているものとみなし、ステップＳ１０６において、配信情報生成部１１３は、タグ登録管理データ格納部１１５に格納されているタグ登録管理データのうち、閲覧が要求されているタグ登録データのユーザIDに対応付けて付加データとして登録されている位置情報をタグ登録管理データ格納部１１５より読み出し、配信情報である位置情報の一覧となる閲覧画像を生成する。この際、配信情報生成部１１３は、地図データ格納部１１６より地図データを読み出して、位置情報に基づいて、タグの画像をマッピングして、地図データと共に位置情報の一覧となる閲覧画像を生成する。位置情報の一覧となる閲覧画像は、具体的には、ユーザIDに対応して検索されるタグID、日時情報、およびそのタグ登録データに付加データとして登録されている位置情報からなるリストと、位置情報に対応付けて地図上にタグの画像がマッピングされている地図画像である。
【０１４６】
ステップＳ１０７において、配信情報生成部１１３は、通信部１１１の送信制御部１１１ｂを制御して、生成した位置情報の一覧となる閲覧画像を携帯端末１１に送信させる。
【０１４７】
ステップＳ７７（図１１）において、ブラウザ管理部５７は、通信制御部５６の受信制御部７２を制御して、タグ管理サーバ１２より送信されてきた位置情報の一覧となる閲覧画像をデータとして取得する。
【０１４８】
ステップＳ７８において、ブラウザ管理部５７は、取得した位置情報の一覧となる閲覧画像のデータを表示制御部５１に供給し、例えば、図１６で示されるように表示部３５に表示させる。
【０１４９】
図１６においては、図中の左側に地図表示欄Ｍが表示され、右側にタグ一覧表示欄Ｌが表示されている。タグ一覧表示欄Ｌにおいては、タグが登録された日時と登録されたタグのタグIDに対応するタグが示されている。
【０１５０】
すなわち、図１６のタグ一覧表示欄Ｌにおいては、上から2007年10月18日15時27分に「驚き」を示すタグが登録され、2007年8月31日17時28分に「魅了」を示すタグが登録され、2007年8月28日18時30分に「魅了」を示すタグが登録され、2007年8月13日16時45分に「魅了」を示すタグが登録され、2007年8月10日13時51分に「驚き」を示すタグが登録され、2007年8月8日20時04分に「驚き」を示すタグが登録され、2007年8月8日18時10分に「驚き」を示すタグが登録されたことが示されている。各タグの画像は、供給されてきたタグIDに基づくものである。
【０１５１】
また、地図表示欄Ｍには、タグ一覧表示欄Ｌに記録されているタグ登録データに対応する位置情報に基づいて、地図上にタグの画像が表示されている。図１６においては、タグＴ４１乃至Ｔ４５が表示されており、それぞれ「驚き」、「魅了」、「魅了」、「魅了」、「驚き」のタグであることが示されている。地図表示欄Ｍ上のタグＴ４１乃至Ｔ４５は、図示せぬポインタなどにより選択することができる。
【０１５２】
ステップＳ７９において、ブラウザ管理部５７は、操作入力部３１が操作されて、いずれかのタグが選択されたか否かを判定する。例えば、ステップＳ７９において、地図表示欄ＭのタグＴ４２がポインタなどで指示されるなどして選択された場合、ステップＳ８０において、ブラウザ管理部５７は、選択されたタグＴ４２に対応付けて記憶されているタグID、ユーザID、および日時情報に基づいて、通信制御部５６の送信制御部７１を制御して、通信部３４よりタグ管理サーバ１２に対してタグ登録データおよび付加データを要求する。
【０１５３】
これに応じて、ステップＳ１０８（図１２）において、例えば、ステップＳ８０の処理によりタグ登録データが要求された場合、ステップＳ１０９において、配信情報生成部１１３は、要求されたタグ登録データ、および付加データである画像データをタグ登録管理データ格納部１１５および画像データ格納部１１４より読み出す。
【０１５４】
ステップＳ１１０において、配信情報生成部１１３は、要求されたタグ登録データおよび付加データである画像データを通信部１１１の送信制御部１１１ｂを制御して、携帯端末１１に送信する。
【０１５５】
ステップＳ８２（図１１）において、ブラウザ管理部５７は、通信制御部５６の受信制御部７２を制御して、通信部３４よりタグ管理サーバ１２より送信されてきたタグ登録データおよび付加データである画像データを取得する。
【０１５６】
ステップＳ８３において、ブラウザ管理部５７は、取得したタグ登録データおよび付加データである画像データを表示制御部５１に供給し、例えば、図１４または図１６で示されるように表示部３５に表示させる。
【０１５７】
ステップＳ８３において、タグ読み出し部５２は、操作入力部３１が操作されるなどして、図５で示される画像より、返信用タグ登録データが選択されたか否かを判定する。例えば、図５で示されるタグの何れかが選択されると、ステップＳ８４において、タグ登録データ生成処理が実行される。尚、このタグ登録データ生成処理については、図４において説明した処理と同様であるので、その説明は省略する。
【０１５８】
ステップＳ８５において、ブラウザ管理部５７は、記憶部３２に新たに返信用に登録されたタグ登録データを読み出し、通信制御部５６の送信制御部７１を制御して、タグ管理サーバ１２に送信する。
【０１５９】
ステップＳ１１１（図１２）において、タグ登録管理部１１２は、タグ登録管理データ格納部１１５にアクセスし、読み出されたタグ登録データのアクセス数を１インクリメントする。
【０１６０】
ステップＳ１１２において、タグ登録管理部１１２は、返信用に登録されたタグ登録データが送信されてきたか否かを判定する。例えば、ステップＳ７３の処理により、返信用のタグ登録データが送信されてきた場合、ステップＳ１１３において、タグ登録管理部１１２は、読み出されたタグ登録データの返信用タグ登録データ欄に、送信されてきたタグ登録データを付加して更新する。
【０１６１】
ステップＳ７９（図１１）において、いずれもタグが選択されなかった場合、ステップＳ８０乃至Ｓ８５の処理がスキップされる。また、ステップＳ８３において、返信用タグ登録データが選択されなかった場合、ステップＳ８４，Ｓ８５の処理はスキップされる。そして、ステップＳ８６において、ブラウザ管理部５７は、ブラウザの終了が指示されたか否かを判定し、終了が指示されていない場合、処理は、ステップＳ７９に戻る。すなわち、位置情報の一覧が表示されると、いずれかのタグが選択されなければ、ブラウザの終了が指示されるまで、ステップＳ７９乃至Ｓ８６の処理が繰り返される。そして、ステップＳ８６において、終了が指示された場合、処理は、ステップＳ６１に戻る。
【０１６２】
したがって、ステップＳ１１２において、ステップＳ８３の処理により返信用タグ登録データが登録されなかった場合、ステップＳ８４の処理がスキップされるので、ステップＳ１１３の処理もスキップされて、処理は、ステップＳ１０１に戻る。
【０１６３】
以上の処理により、タグと共に登録された位置情報を参照することにより、タグを登録した位置において、タグを登録した人物のそのときの感情を参照することが可能となり、本人であれば、感情を記録として残すことができ、後から繰り返し確認することが可能となる。また、本人または本人以外のいずれであっても、タグの情報を供給することができるので、どの場所で、どのような感情を抱いたかを、本人を含む多くの人物と共有することが可能となる。また、例えば、どの場所では、どのような感情を抱く傾向が高いかを把握することができる。
【０１６４】
ところで、上述した一連の情報処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【０１６５】
図１７は、汎用のパーソナルコンピュータの構成例を示している。このパーソナルコンピュータは、CPU(Central Processing Unit)１００１を内蔵している。CPU１００１にはバス１００４を介して、入出力インタフェース１００５が接続されている。バス１００４には、ROM(Read Only Memory)１００２およびRAM(Random Access Memory)１００３が接続されている。
【０１６６】
入出力インタフェース１００５には、ユーザが操作コマンドを入力するキーボード、マウスなどの入力デバイスよりなる入力部１００６、処理操作画面や処理結果の画像を表示デバイスに出力する出力部１００７、プログラムや各種データを格納するハードディスクドライブなどよりなる記憶部１００８、LAN（Local Area Network）アダプタなどよりなり、インターネットに代表されるネットワークを介した通信処理を実行する通信部１００９が接続されている。また、磁気ディスク（フレキシブルディスクを含む）、光ディスク（CD-ROM(Compact Disc-Read Only Memory)、DVD(Digital Versatile Disc)を含む）、光磁気ディスク（ＭＤ(Mini Disc)を含む）、もしくは半導体メモリなどのリムーバブルメディア１０１１に対してデータを読み書きするドライブ１０１０が接続されている。
【０１６７】
CPU１００１は、ROM１００２に記憶されているプログラム、または磁気ディスク、光ディスク、光磁気ディスク、もしくは半導体メモリ等のリムーバブルメディア１０１１から読み出されて記憶部１００８にインストールされ、記憶部１００８からRAM１００３にロードされたプログラムに従って各種の処理を実行する。RAM１００３にはまた、CPU１００１が各種の処理を実行する上において必要なデータなども適宜記憶される。
【０１６８】
尚、本明細書において、記録媒体に記録されるプログラムを記述するステップは、記載された順序に沿って時系列的に行われる処理は、もちろん、必ずしも時系列的に処理されなくとも、並列的あるいは個別に実行される処理を含むものである。
【図面の簡単な説明】
【０１６９】
【図１】本発明が適用されるタグ登録システムの構成例を示す図である。
【図２】本発明の一実施の形態である携帯端末の機能的な構成例を示すブロック図である。
【図３】タグ管理サーバのハードウェアの構成例を示すブロック図である。
【図４】タグの登録データ生成処理を説明するフローチャートである。
【図５】タグの構成を示す図である。
【図６】タグの種類の例を示す図である。
【図７】タグの選択画面の表示例を示す図である。
【図８】タグ登録データの構成を示す図である。
【図９】タグ登録データ格納処理を説明するフローチャートである。
【図１０】タグ登録管理データの構成を示す図である。
【図１１】携帯端末によるタグ登録データ閲覧処理を説明するフローチャートである。
【図１２】タグ管理サーバによるタグ登録データ閲覧処理を説明するフローチャートである。
【図１３】タグ登録データ閲覧処理を説明する図である。
【図１４】タグ登録データ閲覧処理を説明する図である。
【図１５】タグ登録データ閲覧処理を説明する図である。
【図１６】タグ登録データ閲覧処理を説明する図である。
【図１７】パーソナルコンピュータの構成を説明する図である。
【符号の説明】
【０１７０】
１１  携帯端末，  １２  タグ管理サーバ，  ３１  操作入力部，  ３２  記憶部，  ３３  制御部，  ３４  通信部，  ３５  表示部，  ３６  位置情報取得部，  ３７  撮像部，  ５１  表示制御部，  ５２  タグ読み出し部，  ５３  時刻情報取得部，  ５４  時計部，  ５５  タグ登録データ生成部，  ５６  通信制御部，  ５７  ブラウザ管理部，  ５８  コメント管理部，  ５９  位置情報取得制御部，  ６０  撮像制御部，  ７１  送信制御部，  ７２  受信制御部，  １１１  通信部，  １１１ａ  受信制御部，  １１１ｂ  送信制御部，  １１２  タグ登録管理部，  １１３  配信情報生成部，  １１４  画像データ格納部，  １１５  タグ登録データ格納部，  １１６  地図データ格納部
【図１】
2009176032.tif 000003
【図２】
2009176032.tif 000004
【図３】
2009176032.tif 000005
【図４】
2009176032.tif 000006
【図５】
2009176032.tif 000007
【図６】
2009176032.tif 000008
【図７】
2009176032.tif 000009
【図８】
2009176032.tif 000010
【図９】
2009176032.tif 000011
【図１０】
2009176032.tif 000012
【図１１】
2009176032.tif 000013
【図１２】
2009176032.tif 000014
【図１３】
2009176032.tif 000015
【図１４】
2009176032.tif 000016
【図１５】
2009176032.tif 000017
【図１６】
2009176032.tif 000018
【図１７】
2009176032.tif 000019